(57)【要約】【課題】  引き出しや扉を開閉するための操作用把手を利用して、引き出し等を開くことなく取付けることができるサポートカウンターを有したキッチン用フロアキャビネットを提供する。【解決手段】  キャビネット本体２の前面に、キャビネット本体２の引き出し２５を操作するための略水平な指かけ部２６ａを有する操作用把手２６が上下に多段で設けられたキッチン用フロアキャビネット１であって、後部下面に上段側の前記操作用把手２６の指かけ部２６ａに上方から着脱可能に係合させる上係合凹部３１を有するサポートカウンター３を設け、このサポートカウンター３の前部下面に、下段側の前記操作用把手２６の指かけ部２６ａに上方から着脱可能に係合させる下係合凹部４１を有するステー４を前後方向に回動可能に取付けた。【選択図】      図３
2006218173.tif 000002
【特許請求の範囲】
【請求項１】
キャビネット本体の前面に、キャビネット本体の開閉操作体を操作するための略水平な指かけ部を有する操作用把手が上下に多段で設けられたキッチン用フロアキャビネットであって、
後部下面に上段側の前記操作用把手の指かけ部に上方から着脱可能に係合させる上係合凹部を有するサポートカウンターを設け、このサポートカウンターの前部下面に、下段側の前記操作用把手の指かけ部に上方から着脱可能に係合させる下係合凹部を有するステーを前後方向に回動可能に取付けたことを特徴とするキッチン用フロアキャビネット。
【発明の詳細な説明】
【技術分野】
【０００１】
本発明は、キッチン用フロアキャビネットに関するものである。
【背景技術】
【０００２】
従来、キッチン用フロアキャビネットでは、調理に使用する部分の面積を広く確保するために、シンクの周縁部に段差部を設け、この段差部に可動式のサポートカウンターを載置することが知られている（例えば、特許文献１参照）。
【０００３】
また、このようなサポートカウンターを、キャビネット本体の前面に設けられた引き出しの上に引き出し自在に設け、引き出しを引き出した状態でサポートカウンターを引き出しの上に引き出すことにより、サポートカウンターを下方から引き出しによって支持するようにすることも知られている（例えば、特許文献２参照）。
【特許文献１】特開平６−７３７６７号公報
【特許文献２】特開平８−８９３５４号公報
【発明の開示】
【発明が解決しようとする課題】
【０００４】
しかしながら、サポートカウンターを下方から引き出しによって支持した場合には、サポートカウンターの上に置いたボールや食器等から液体がこぼれたときに、その液体が引き出し内に入り込むため、引き出し内が不衛生になり易いという問題があった。
【０００５】
本発明は、キャビネット本体の前面に引き出しや扉を開閉するための操作用把手が多段で設けられていることに着目し、この操作用把手を利用して、引き出し等を開くことなくキャビネット本体の前面に取付けることができるサポートカウンターを有したキッチン用フロアキャビネットを提供することを目的とする。
【課題を解決するための手段】
【０００６】
上述の目的を達成するために、本発明に係るキッチン用フロアキャビネットは、キャビネット本体の前面に、キャビネット本体の開閉操作体を操作するための略水平な指かけ部を有する操作用把手が上下に多段で設けられたキッチン用フロアキャビネットであって、後部下面に上段側の前記操作用把手の指かけ部に上方から着脱可能に係合させる上係合凹部を有するサポートカウンターを設け、このサポートカウンターの前部下面に、下段側の前記操作用把手の指かけ部に上方から着脱可能に係合させる下係合凹部を有するステーを前後方向に回動可能に取付けたことを特徴とするものである。
【発明の効果】
【０００７】
本発明によれば、使用時には、ステーの下係合凹部を上方から下段側の操作用把手の指かけ部に係合させるとともに、サポートカウンターの上係合凹部を上方から上段側の操作用把手の指かけ部に係合させるだけで、開閉操作体（例えば、引き出し等）の操作用把手を利用して、開閉操作体を開くことなくサポートカウンターをキャビネット本体の前面に取付けることができる。また、不使用時には、サポートカウンターの上係合凹部を上方に持ち上げて指かけ部から係合を外すとともに、ステーの下係合凹部を上方に持ち上げて指かけ部から係合を外すだけで、サポートカウンターを簡単にキャビネット本体の前面から取外すことができる。さらに、サポートカウンターにステーを回動可能に取付けたから、サポートカウンターとステーとの相対的回動で、それぞれの係合凹部を操作用把手の指かけ部に容易に係合させることができるだけでなく、不使用時にはサポートカウンターとステーとを扁平に折り畳んでコンパクトに収納することができる。
【発明を実施するための最良の形態】
【０００８】
以下、本発明を実施するための最良の形態について、図面を参照しながら詳細に説明する。
【０００９】
図１〜図３に示すように、キッチン用フロアキャビネット１は、キャビネット本体２を備え、このキャビネット本体２は、略直方体の形状をなしており、人造大理石等で構成されるカウンター２１と、カウンター２１を支持する箱体２２とを有している。
【００１０】
前記カウンター２１には、シンク２３や調理器２４が組み込まれているとともに、カラン２３ａが取付けられている。
【００１１】
前記箱体２２の前面には、前後方向に開閉操作可能な開閉操作体である引き出し２５や扉２７が設けられているとともに、引き出し２５を開閉操作するための略水平な指かけ部２６ａを有する操作用把手２６や扉２７を開閉操作するための上下方向に延在する操作用把手２８が適所に設けられ、調理器２４近傍の引き出し２５が上下３段に並んで設けられている部分では、操作用把手２６も上下３段に並んで設けられている。
【００１２】
なお、前記上下３段に並ぶ引き出し２５の操作用把手２６の上下間隔Ｓは略同じになっているものとする。
【００１３】
一方、サポートカウンター３は、上下に並ぶ操作用把手２６を利用して取付けられるものであり、その幅は、操作用把手２６の指かけ部２６ａを支持する左右一対の支持部２６ｂの間の寸法よりも少し小さく設定されている。また、サポートカウンター３の後部下面には、上段側の操作用把手２６の指かけ部２６ａに上方から着脱可能に係合する上係合凹部３１が形成されている。
【００１４】
前記上係合凹部３１は、サポートカウンター３の全幅に亘って左右方向に延びているとともに下方に開口しており、上方から操作用把手２６の指かけ部２６ａに嵌り込むことによって当該指かけ部２６ａに着脱可能に係合するようになっている。
【００１５】
また、サポートカウンター３の前部下面には、当該サポートカウンター３を略水平状態に支持するステー４が前後方向に回動可能に取付けられている。
【００１６】
具体的には、サポートカウンター３の前部下面には、支持片３２が突設されており、この支持片３２にステー４の基端部が左右方向に延在する回動軸５を介して回動自在に連結されている。
【００１７】
また、ステー４の先端部には、下段側の操作用把手２６の指かけ部２６ａに上方から着脱可能に係合する下係合凹部４１が形成されている。
【００１８】
前記下係合凹部４１は、ステー４の先端部が二股状に形成されることにより当該ステー４の先端側に開口する形状とされており、操作用把手２６の指かけ部２６ａに斜め上方から嵌り込むことによって当該指かけ部２６ａに着脱可能に係合するようになっている。
【００１９】
このようなステー４が取付けられたサポートカウンター３をキャビネット本体２の前面に取付けるには、まずステー４の下係合凹部４１を斜め上方から中段の操作用把手２６の指かけ部２６ａに係合させる。次いで、サポートカウンター３を回動操作しながら上係合凹部３１を上方から上段の操作用把手２６の指かけ部２６ａに係合させる。
【００２０】
なお、前述したように、上下３段に並ぶ各引き出し２５の操作用把手２６の上下間隔Ｓは略同一になっているので、ステー４の下係合凹部４１を下段の操作用把手２６の指かけ部２６ａに係合させ、サポートカウンター３の上係合凹部３１を中段の操作用把手２６の指かけ部２６ａに係合させてもよい。
【００２１】
逆に、サポートカウンター３をキャビネット本体２の前面から取外すには、前記操作とは逆にすればよい。すなわち、サポートカウンター３を回動操作しながら上係合凹部３１を持ち上げて指かけ部２６ａから係合を外す。次いで、ステー４の下係合凹部４１を上方に持ち上げて指かけ部２６ａから係合を外せばよい。
【００２２】
本実施形態のキッチン用フロアキャビネット１では、使用時には、ステー４の下係合凹部４１及びサポートカウンター３の上係合凹部３１を上方から上下段の操作用把手２６の指かけ部２６ａに係合させるだけで、引き出し２５の操作用把手２６を利用して、引き出し２５を開くことなくサポートカウンター３をキャビネット本体２の前面に取付けることができる。
【００２３】
また、不使用時には、サポートカウンター３の上係合凹部３１及びステー４の下係合凹部４１を上方に持ち上げて上下段の操作用把手２６の指かけ部２６ａから係合を外すだけで、サポートカウンター３を簡単にキャビネット本体２の前面から取外すことができる。
【００２４】
さらに、サポートカウンター３にステー４を回動可能に取付けたから、サポートカウンター３とステー４との相対的回動で、それぞれの係合凹部３１，４１を別々に操作用把手２６の指かけ部２６ａに係合させることができるため、その係合作業を容易に行うことができるだけでなく、不使用時にはサポートカウンター３とステー４とを扁平に折り畳んでコンパクトに収納することができる。
【００２５】
また、上下３段に並ぶ各引き出し２５の操作用把手２６の上下間隔Ｓが略同一になっていれば、サポートカウンター３を取付ける位置を用途に合わせて変更することができる。
【００２６】
なお、前記実施形態では、サポートカウンター３の下面に支持片３２を設け、この支持片３２にステー４を回動可能に取付けているが、図４に示すように、サポートカウンター３の下面に前後方向に延びるとともに下方に開口する溝部３３を形成して、この溝部３３内に回動軸５を設け、サポートカウンター３とステー４とを折り畳んだときにステー４が溝部３３内に収容されるようにしてもよい。このようにすれば、さらにコンパクトに収納することができる。
【００２７】
また、前記実施形態では、上下３段に並ぶ各引き出し２５の操作用把手２６の上下間隔Ｓを略同一にしているが、各操作用把手２６の上下間隔Ｓが異なっている場合には、ステー４を伸縮可能な構造とすれば、上段の引き出し２５の指かけ部２６ａまたは中段の引き出し２５の指かけ部２６ａのどちらにサポートカウンター３の上係合凹部３１を係合させても、サポートカウンター３を略水平状態に支持することができる。
【００２８】
例えば、図５に示すように、ステー４を、下係合凹部４１を有するロッド４３と、このロッド４３を軸方向に移動可能に支持する筒状体４２とで構成し、筒状体４２にロッド４３の位置を固定する固定ネジ４４を設ければよい。
【００２９】
また、ステー４としては、ロック機能の付いた中折れ式のものを採用することも可能であるし、下係合凹部４１は、ステー４の延在する方向に沿って外側に開口している必要はなく、例えば操作用把手２６の指かけ部２６ａに真上から嵌り込むように、指かけ部２６ａに係合する姿勢で鉛直下向きに開口する形状であってもよい。
【００３０】
さらに、前記実施形態では、引き出し２５が上下３段に設けられている形態を示したが、引き出し２５と扉２７とが上下に並んで設けられている場合には、扉２７の操作用把手２８を横向きとして略水平な指かけ部を形成すれば、扉２７の操作用把手２８の指かけ部にサポートカウンター３の上係合凹部３１を係合させたりステー４の下係合凹部４１を係合させたりすることも可能である。
【図面の簡単な説明】
【００３１】
【図１】本発明の一実施形態に係るキッチン用フロアキャビネットの斜視図である。
【図２】サポートカウンターをキャビネット本体に取付けたときの平面図である。
【図３】サポートカウンターをキャビネット本体に取付けたときの断面側面図である。
【図４】他の実施形態に係るサポートカウンターの断面側面図である。
【図５】他の実施形態に係るステーの側面図である。
【符号の説明】
【００３２】
１  キッチン用フロアキャビネット
２  キャビネット本体
２５  引き出し
２６  把手
２６ａ  指かけ部
２６ｂ  支持部
２７  扉
２８  把手
３  サポートカウンター
３１  上係合凹部
４  ステー
４１  下係合凹部
５  回動軸
【図１】
2006218173.tif 000003
【図２】
2006218173.tif 000004
【図３】
2006218173.tif 000005
【図４】
2006218173.tif 000006
【図５】
2006218173.tif 000007